(57)【特許請求の範囲】
【請求項１】
印刷情報作成部から送信された印刷情報を受信してその印刷情報に応じたマスタの製版及びそのマスタを用いた印刷を行う印刷装置において、
受信した１ページ分の印刷情報を記憶するページメモリと、
受信した複数ページ分の印刷情報を記憶する記憶容量を有する大容量メモリと、
受信した印刷情報を前記ページメモリに記憶する第１の手段と、
前記ページメモリに記憶された印刷情報に応じた印刷が可能であるか否かを判断する印刷可否判断手段と、
前記印刷可否判断手段により印刷が可能であると判断された場合には前記ページメモリに記憶された印刷情報に基づく前記マスタの製版及びそのマスタを用いた印刷を行なう第２の手段と、
前記印刷可否判断手段により印刷が不可能であると判断された印刷情報を前記ページメモリ内が空になるように当該ページメモリから退避させて前記大容量メモリに記憶させる退避記憶手段と、
前記退避記憶手段が印刷情報を前記ページメモリから前記大容量メモリに退避させた後に新たな印刷情報を受信した場合、前記第１の手段と前記印刷可否判断手段と前記第２の手段と前記退避記憶手段との機能を繰り返す手段と、
を有することを特徴とする印刷装置。
【請求項２】
前記印刷可否判断手段は、印刷装置側のエラーを検知した場合に印刷が不可能であると判断することを特徴とする請求項１記載の印刷装置。
【請求項３】
前記印刷可否判断手段は、印刷情報中のエラーを検知した場合に印刷が不可能であると判断することを特徴とする請求項１又は２記載の印刷装置。
【請求項４】
前記退避記憶手段により前記大容量メモリに記憶された印刷情報を呼び出して前記ページメモリに記憶させる呼び出し手段を有することを特徴とする請求項１ないし３のいずれか一記載の印刷装置。
【請求項５】
印刷情報作成部から送信された印刷情報を受信してその印刷情報に応じたマスタを製版し、製版したマスタを用いて印刷を行う印刷方法において、
受信した印刷情報を前記ページメモリに記憶する第１の工程と、
受信した１ページ分の印刷情報に応じた印刷が可能であるか否かを判断する第２の工程と、
前記第２の工程で印刷が可能であると判断した場合には前記ページメモリに記憶された印刷情報に基づく前記マスタの製版及びそのマスタを用いた印刷を行なう第３の工程と、
前記第２の工程で印刷が不可能であると判断した場合にはその印刷情報を前記ページメモリ内が空になるように当該ページメモリから退避させて複数ページ分の記憶容量を有する大容量メモリに記憶させる第４の工程と、
前記退避記憶手段が印刷情報を前記ページメモリから前記大容量メモリに退避させた後に新たな印刷情報を受信した場合、前記第１〜第４の工程を繰り返す第５の工程と、
を有することを特徴とする印刷方法。
【請求項６】
受信した１ページ分の印刷情報に応じた印刷が不可能であるとの判断は、印刷装置側のエラーを検知した場合に行うようにしたことを特徴とする請求項５記載の印刷方法。
【請求項７】
受信した１ページ分の印刷情報に応じた印刷が不可能であることの判断は、印刷情報中のエラーを検知した場合に行うようにしたことを特徴とする請求項５又は６記載の印刷方法。
【請求項８】
前記退避記憶手段により前記大容量メモリに退避記憶された印刷情報を呼び出してその印刷情報に応じたマスタの製版及びそのマスタを用いた印刷を行うようにしたことを特徴とする請求項５ないし７のいずれか一記載の印刷方法。
【発明の詳細な説明】
【０００１】
【発明の属する技術分野】
本発明は、パーソナルコンピュータなどの印刷情報作成部から送信された印刷情報に応じてマスタを製版し、そのマスタを用いて印刷を行う印刷装置及び印刷方法に関する。
【０００２】
【従来の技術】
近年、パーソナルコンピュータ（以下、ＰＣと略す）の普及に伴い、ＰＣで作成した印刷情報を用いて印刷を行うようした印刷装置が知られている。また、ネットワークで複数台のＰＣと接続し、各ＰＣから送信された印刷情報に応じて印刷を行うようにした印刷装置も知られている。
【０００３】
このような印刷装置においてＰＣから送信された印刷情報を受信した場合には、印刷装置側にエラーが有るか否か、及び、印刷情報中にエラーが有るか否かが判断され、印刷装置側にエラーが無く、かつ、印刷情報中にもエラーが無い場合には、その印刷情報に基づいたマスタの製版、及び、そのマスタを用いた印刷が行われる。
【０００４】
しかし、印刷装置側にエラーがある場合、例えば、給紙トレイ上に印刷用紙が無い、マスタを製版するためのマスタ原紙が無い、インキが無い、ジャム（原稿、印刷用紙、マスタ原紙のジャム）が発生している、排版部の収納ボックスが満杯である、版胴が未セットである、カバーが開いている等の場合、又は、印刷情報中にエラーがある場合、例えば、指定した印刷用紙の向きが給紙トレイ上の印刷用紙の向きと異なる、印刷指定枚数が上限値を超えている、印刷指定枚数が下限値以下である（印刷枚数が少ないときは、印刷ではなく複写がコスト的、時間的に有利である）等の場合には、マスタの製版は開始されず、オペレータによる製版・印刷作業のキャンセル操作や、必要なサイズの印刷用紙の補給などが行われるまで待機状態になる。
【０００５】
【発明が解決しようとする課題】
したがって、ＰＣから送信された印刷情報を受信した場合に、印刷装置側にエラーが有る場合や、印刷情報中にエラーが有る場合には、印刷装置ではマスタの製版や印刷は開始されずに待機状態となり、印刷作業が中断される。そして、このような待機状態時には、別の印刷情報を新たに受信することはできない。
【０００６】
なお、ＰＣに接続された複写機やプリンタでは、その複写機やプリンタの給紙トレイ上にＰＣで指定されたサイズの印刷用紙が無い場合には、指定された印刷用紙のサイズより大きいサイズの印刷用紙を用いて画像形成を行うようにしたもの、又は、画像の倍率を強制的に変更することにより給紙トレイ上に有る印刷用紙を用いて画像形成を行うようにしたものが知られている。しかし、印刷装置の場合には、複写機やプリンタに比べて印刷枚数が多いことが通常であり、不適切なサイズの印刷用紙を用いた印刷、不適切な倍率による印刷を多量に行うことは好ましくない。
【０００７】
本発明は、ＰＣ等の印刷情報作成部から印刷情報が印刷装置へ送信された場合、その印刷情報に応じたマスタの製版や印刷が不可能である場合には、その印刷情報を記憶容量の大きい大容量メモリへ記憶させて退避させ、別の印刷情報の受信を可能にして印刷作業の中断が生じないようにした印刷装置及び印刷方法を提供することを目的とする。
【０００８】
【課題を解決するための手段】
【００１０】
請求項１記載の印刷装置の発明は、印刷情報作成部から送信された印刷情報を受信してその印刷情報に応じたマスタの製版及びそのマスタを用いた印刷を行う印刷装置において、受信した１ページ分の印刷情報を記憶するページメモリと、受信した印刷情報を前記ページメモリに記憶する第１の手段と、受信した複数ページ分の印刷情報を記憶する記憶容量を有する大容量メモリと、前記ページメモリに記憶された印刷情報に応じた印刷が可能であるか否かを判断する印刷可否判断手段と、前記印刷可否判断手段により印刷が可能であると判断された場合には前記ページメモリに記憶された印刷情報に基づく前記マスタの製版及びそのマスタを用いた印刷を行なう第２の手段と、前記印刷可否判断手段により印刷が不可能であると判断された印刷情報を前記ページメモリ内が空になるように当該ページメモリから退避させて前記大容量メモリに記憶させる退避記憶手段と、前記退避記憶手段が印刷情報を前記ページメモリから前記大容量メモリに退避させた後に新たな印刷情報を受信した場合、前記第１の手段と前記印刷可否判断手段と前記第２の手段と前記退避記憶手段との機能を繰り返す手段と、を有する。
【００１１】
したがって、受信した１ページ分の印刷情報がページメモリに記憶され、ページメモリに記憶された１ページ分の印刷情報の印刷が可能であるか否かが印刷可否判断手段により判断され、印刷が可能であると判断された場合には、マスタの製版とそのマスタを用いた印刷とが行なわれる。一方、印刷可否判断手段により印刷が不可能であると判断された場合には、その印刷情報が退避記憶手段によりページメモリから退避されて大容量メモリに記憶され、ページメモリには別の印刷情報が記憶可能となる。このため、印刷情報作成部から送信された別の印刷情報が受信されてページメモリに記憶され、その印刷情報に応じたマスタの製版及びそのマスタを用いた印刷を開始することができ、印刷作業の中断の発生が防止される。
【００１２】
請求項２記載の発明は、請求項１記載の印刷装置において、前記印刷可否判断手段は、印刷装置側のエラーを検知した場合に印刷が不可能であると判断する。
【００１３】
したがって、印刷装置側にエラーが有る場合、例えば、給紙トレイ上に印刷用紙が無い、マスタを製版するためのマスタ原紙が無い、インキが無い、ジャム（原稿、印刷用紙、マスタ原紙のジャム）が発生している、排版部の収納ボックスが満杯である、版胴が未セットである、カバーが開いている等の場合には、印刷可否判断手段により印刷は不可能であると判断され、ページメモリに記憶された印刷情報がページメモリから退避されて大容量メモリに記憶され、ページメモリには新たに送信される別の印刷情報が記憶可能となる。
【００１４】
請求項３記載の発明は、請求項１又は２記載の印刷装置において、前記印刷可否判断手段は、印刷情報中のエラーを検知した場合に印刷が不可能であると判断する。
【００１５】
したがって、印刷情報中にエラーがある場合、例えば、指定した印刷用紙の向きが給紙トレイ上の印刷用紙の向きと異なる、印刷指定枚数が上限値を超えている、印刷指定枚数が下限値以下である等の場合には、印刷可否判断手段により印刷は不可能であると判断され、ページメモリに記憶された印刷情報がページメモリから退避されて大容量メモリに記憶され、ページメモリには新たに送信される別の印刷情報が記憶可能となる。
【００１６】
請求項４記載の発明は、請求項１ないし３のいずれか一記載の印刷装置において、前記退避記憶手段により前記大容量メモリに記憶された印刷情報を呼び出して前記ページメモリに記憶させる呼び出し手段を有する。
【００１７】
したがって、大容量メモリに記憶された印刷情報を呼び出してページメモリに記憶させることにより、一旦大容量メモリに記憶させた印刷情報に応じたマスタの製版及び印刷を後から行える。
【００１８】
請求項５記載の印刷方法の発明は、印刷情報作成部から送信された印刷情報を受信してその印刷情報に応じたマスタを製版し、製版したマスタを用いて印刷を行う印刷方法において、受信した印刷情報を前記ページメモリに記憶する第１の工程と、受信した１ページ分の印刷情報に応じた印刷が可能であるか否かを判断する第２の工程と、前記第２の工程で印刷が可能であると判断した場合には前記ページメモリに記憶された印刷情報に基づく前記マスタの製版及びそのマスタを用いた印刷を行なう第３の工程と、前記第２の工程で印刷が不可能であると判断した場合にはその印刷情報を前記ページメモリ内が空になるように当該ページメモリから退避させて複数ページ分の記憶容量を有する大容量メモリに記憶させる第４の工程と、前記退避記憶手段が印刷情報を前記ページメモリから前記大容量メモリに退避させた後に新たな印刷情報を受信した場合、前記第１〜第４の工程を繰り返す第５の工程と、を有する。
【００１９】
したがって、受信した１ページ分の印刷情報の印刷が不可能であると判断された場合には、その印刷情報が大容量メモリに退避記憶され、別の印刷情報を新たに受信することが可能となる。このため、新たに受信した別の印刷情報に応じたマスタの製版及びそのマスタを用いた印刷を開始することができ、印刷作業の中断の発生が防止される。
【００２０】
請求項６記載の発明は、請求項５記載の印刷方法において、受信した１ページ分の印刷情報に応じた印刷が不可能であるとの判断は、印刷装置側のエラーを検知した場合に行うようにした。
【００２１】
したがって、印刷装置側のエラーが検知された場合、例えば、給紙トレイ上に印刷用紙が無い、マスタを製版するためのマスタ原紙が無い、インキが無い、ジャム（原稿、印刷用紙、マスタ原紙のジャム）が発生している、排版部の収納ボックスが満杯である、版胴が未セットである、カバーが開いていること等が検知された場合には、印刷は不可能であると判断され、１ページ分の印刷情報が大容量メモリに退避記憶され、別の印刷情報の記憶が可能となる。
【００２２】
請求項７記載の発明は、請求項５又は６記載の印刷方法において、受信した１ページ分の印刷情報に応じた印刷が不可能であることの判断は、印刷情報中のエラーを検知した場合に行うようにした。
【００２３】
したがって、印刷情報中にエラーがある場合、例えば、指定した印刷用紙の向きが給紙トレイ上の印刷用紙の向きと異なる、印刷指定枚数が上限値を超えている、印刷指定枚数が下限値以下である等の場合には、印刷は不可能であると判断され、１ページ分の印刷情報が大容量メモリに退避記憶され、別の印刷情報の記憶が可能となる。
【００２４】
請求項８記載の発明は、請求項５ないし７のいずれか一記載の印刷方法において、前記退避記憶手段により前記大容量メモリに退避記憶された印刷情報を呼び出してその印刷情報に応じたマスタの製版及びそのマスタを用いた印刷を行うようにした。
【００２５】
したがって、大容量メモリに退避記憶された印刷情報を呼び出し、その印刷情報に応じた製版及び印刷を後から行える。
【００２６】
【発明の実施の形態】
本発明の一実施の形態を図面に基づいて説明する。図１は、印刷処理システムを示す概略図である。この印刷処理システムによれば、印刷情報作成部である複数台のＰＣ１が印刷機２に接続されている。ＰＣ１では、使用する印刷用紙Ｓのサイズや印刷枚数及び画像データを含む印刷情報が作成され、ＰＣ１から送信された印刷情報が印刷機２で受信される。
【００２７】
図２は、印刷機２の制御回路構成を示すブロック図である。この印刷機２には、制御プログラムに応じて各デバイスを制御するＣＰＵ３、制御プログラム等の固定データを記憶しているＲＯＭ４、各種の可変データや受信した１ページ分の印刷情報を記憶するページメモリとしての機能を有するＲＡＭ５、フォントＲＯＭ６、タイマ７、給紙トレイ８ａ，８ｂ，８ｃ上の印刷用紙Ｓの有無及び印刷用紙Ｓのサイズを検知する用紙センサ９、製版部１０、排版部１１、印刷部１２、給紙部１３、排紙用搬送部１４、ＰＣ１に接続するためのＩ／Ｏ１５、ＰＣ１から受信した複数ページ分の印刷情報を記憶する記憶容量を有する大容量メモリであるＨＤ１６等が接続されている。
【００２８】
製版部１０では、受信した印刷情報に応じたマスタ（図示せず）の製版が行われる。排版部１１では、新たなマスタの製版に先立ち、版胴（図示せず）に巻き付けられている使用済のマスタの排版が行われる。印刷部１２では、マスタが巻き付けられた版胴の回転駆動、及び、プレスローラ（図示せず）の版胴に接離する位置への移動が行われ、それに伴い印刷用紙Ｓへの印刷が行われる。給紙部１３では、印刷情報中で指定されたサイズの印刷用紙Ｓの給紙が行われる。排紙用搬送部１４では、印刷終了後の印刷用紙Ｓが排紙トレイ１７に向けて搬送される。
【００２９】
図３は、印刷機２での処理内容を説明するフローチャートである。印刷機２の電源がオンにされることにより処理がスタートし、まず、印刷機２内の各デバイスがリセットされる（ステップＳ１）。その後、ＰＣ１から送信された印刷情報の受信に備えて待機し（ステップＳ２）、印刷情報を受信した場合には（ステップＳ２のＹ）、その印刷情報がページメモリ（ＲＡＭ）５に記憶される（ステップＳ３）。
【００３０】
また、ＰＣ１からの印刷情報の受信が無い場合において（ステップＳ２のＮ）、ＨＤ１６に記憶されている印刷情報の呼び出しが行われた否かが判断され（ステップＳ４）、呼び出しがあった場合には（ステップＳ４のＹ）、呼び出された印刷情報がページメモリ５に記憶され（ステップＳ３）、ここに、呼び出し手段の機能が実行される。
【００３１】
ステップＳ３において印刷情報（ＰＣ１から受信した印刷情報、ＨＤ１６から呼び出した印刷情報）がページメモリ５に記憶された後、印刷機２側にエラーが有るか否かが判断され（ステップＳ５）、ここに、印刷可否判断手段の機能が実行される。なお、ここで判断される印刷機２側のエラーとしては、例えば、給紙トレイ８ａ，８ｂ，８ｃ上に印刷用紙Ｓが無い場合、マスタを製版するためのマスタ原紙が製版部１０に無い場合、インキが無い場合、ジャム（原稿、印刷用紙、マスタ原紙のジャム）が発生している場合、排版部１１の収納ボックスが満杯である場合、印刷部１２において版胴が未セットである場合、カバーが開いている場合等であり、用紙センサ９や各部のセンサからの検知結果に基づいて判断される。
【００３２】
そして、印刷機２側にエラーが有る場合には（ステップＳ５のＮ）、ページメモリ５に記憶された印刷情報がページメモリ５から退避されてＨＤ１６に記憶され（ステップＳ６）、ここに、退避記憶手段が実行される。退避記憶手段が実行された後は、ページメモリ５内が空になり、ＰＣ１からの新たに印刷情報の送信に備えて待機し（ステップＳ２）、又は、ＨＤ１６からの印刷情報の呼び出しに備えて待機する（ステップＳ４）。
【００３３】
ステップＳ５において印刷機２側にエラーが無いと判断された場合には（ステップＳ５のＹ）、印刷情報中にエラーが有るか否かが判断され（ステップＳ７）、ここに、印刷可否判断手段の機能が実行される。なお、ここで判断される印刷情報中のエラーとしては、指定した印刷用紙Ｓの向きが給紙トレイ８ａ，８ｂ，８ｃ上の印刷用紙Ｓの向きと異なる場合、印刷指定枚数が上限値を超えている場合、印刷指定枚数が下限値以下である場合等であり、用紙センサ９からの検知結果や予め設定してある数値に基づいて判断される。
【００３４】
そして、印刷情報中にエラーが有る場合には（ステップＳ７のＮ）、ページメモリ５に記憶された印刷情報がページメモリ５から退避されてＨＤ１６に記憶され（ステップＳ６）、ここに、退避記憶手段が実行される。退避記憶手段が実行された後は、ページメモリ５内が空になり、ＰＣ１からの新たに印刷情報の送信に備えて待機し（ステップＳ２）、又は、ＨＤ１６からの印刷情報の呼び出しに備えて待機する（ステップＳ４）。
【００３５】
印刷機２側にエラーが無いと判断され（ステップＳ５のＹ）、かつ、印刷情報中にエラーが無いと判断された場合には（ステップＳ７のＹ）、版胴の外周面に巻き付けられている使用済みのマスタの排版（ステップＳ８）、印刷情報に応じたマスタの製版（ステップＳ９）、そのマスタを用いた印刷（ステップＳ１０）が行われる。設定した印刷枚数の印刷が終了した後にページメモリ５内の印刷情報が廃棄され（ステップＳ１１）、ページメモリ５内が空になり、ＰＣ１からの新たに印刷情報の送信に備えて待機し（ステップＳ２）、又は、ＨＤ１６からの印刷情報の呼び出しに備えて待機する（ステップＳ４）。
【００３６】
このような構成において、ＰＣ１から送信された印刷情報が受信されてページメモリ５に記憶された後、又は、ＨＤ１６から呼び出された印刷情報がページメモリ５に記憶された後に、印刷機２側にエラーが有る場合、又は、印刷情報中にエラーが有る場合には、その印刷情報がページメモリ５から退避されてＨＤ１６に記憶される。このため、ページメモリ５内が空になり、ＰＣ１から送信された新たな印刷情報の受信が可能となり、又は、ＨＤ１６から別の印刷情報の呼び出しが可能になり、ＰＣ１から受信した新たな印刷情報又はＨＤ１６から呼び出した別の印刷情報に応じたマスタの製版及びそのマスタを用いた印刷を行うことができる。
【００３７】
したがって、印刷機２側や印刷情報中にエラーが有る場合でも、ＰＣ１からの印刷情報の受信や、受信した印刷情報に応じたマスタの製版及び印刷を行うことができ、印刷作業を続けることができる。
【００３８】
なお、退避記憶手段により印刷情報がＨＤ１６に記憶された場合には、その印刷情報を送信したＰＣ１のディスプレイ上にその旨が表示され、ＰＣ１を操作しているオペレータはその表示をみて様々に対処することができる。例えば、印刷機２のエラーを解除することや、指定したサイズの印刷用紙Ｓを補給することや、印刷情報を修正して印刷を行わせることができる。
【００３９】
【発明の効果】
【００４０】
請求項１記載の発明の印刷装置によれば、ページメモリに記憶された１ページ分の印刷情報の印刷が不可能であると印刷可否判断手段により判断された場合には、その印刷情報が退避記憶手段によりページメモリから退避されて大容量メモリに記憶され、ページメモリには別の印刷情報が記憶可能となるため、印刷情報作成部から送信された別の印刷情報を受信してページメモリに記憶させ、その印刷情報に応じたマスタの製版及びそのマスタを用いた印刷を開始することができ、印刷作業の中断の発生を防止することができる。
【００４１】
請求項２記載の発明によれば、請求項１記載の印刷装置において、印刷可否判断手段は、印刷装置側のエラーを検知した場合に印刷が不可能であると判断するので、印刷装置側にエラーが有る場合、例えば、給紙トレイ上に印刷用紙が無い、マスタを製版するためのマスタ原紙が無い、インキが無い、ジャム（原稿、印刷用紙、マスタ原紙のジャム）が発生している、排版部の収納ボックスが満杯である、版胴が未セットである、カバーが開いている等の場合には、印刷可否判断手段により印刷は不可能であると判断され、ページメモリに記憶された印刷情報をページメモリから退避させて大容量メモリに記憶させることができる。
【００４２】
請求項３記載の発明によれば、請求項１又は２記載の印刷装置において、印刷可否判断手段は、印刷情報中のエラーを検知した場合に印刷が不可能であると判断するので、印刷情報中にエラーがある場合、例えば、指定した印刷用紙の向きが給紙トレイ上の印刷用紙の向きと異なる、印刷指定枚数が上限値を超えている、印刷指定枚数が下限値以下である等の場合には、印刷可否判断手段により印刷は不可能であると判断され、ページメモリに記憶された印刷情報をページメモリから退避されて大容量メモリに記憶させることができる。
【００４３】
請求項４記載の発明によれば、請求項１ないし３のいずれか一記載の印刷装置において、退避記憶手段により大容量メモリに記憶された印刷情報を呼び出してページメモリに記憶させる呼び出し手段を有するので、大容量メモリに記憶された印刷情報を呼び出してページメモリに記憶させることにより、一旦大容量メモリに記憶させた印刷情報に応じたマスタの製版及び印刷を後から行うことができる。
【００４４】
請求項５記載の発明の印刷方法によれば、受信した１ページ分の印刷情報の印刷が不可能であると判断された場合には、その印刷情報が大容量メモリに退避記憶され、別の印刷情報を新たに受信することが可能となるため、新たに受信した別の印刷情報に応じたマスタの製版及びそのマスタを用いた印刷を開始することができ、印刷作業の中断の発生を防止することができる。
【００４５】
請求項６記載の発明によれば、請求項５記載の印刷方法において、受信した１ページ分の印刷情報に応じた印刷が不可能であるとの判断は、印刷装置側のエラーを検知した場合に行うようにしたので、印刷装置側のエラーが検知された場合、例えば、給紙トレイ上に印刷用紙が無い、マスタを製版するためのマスタ原紙が無い、インキが無い、ジャム（原稿、印刷用紙、マスタ原紙のジャム）が発生している、排版部の収納ボックスが満杯である、版胴が未セットである、カバーが開いていること等が検知された場合には、印刷は不可能であると判断され、１ページ分の印刷情報が大容量メモリに退避記憶され、別の印刷情報を記憶することができるようになる。
【００４６】
請求項７記載の発明によれば、請求項５又は６記載の印刷方法において、受信した１ページ分の印刷情報に応じた印刷が不可能であることの判断は、印刷情報中のエラーを検知した場合に行うようにしたので、印刷情報中にエラーが有ること等が検知された場合には、印刷は不可能であると判断され、１ページ分の印刷情報が大容量メモリに退避記憶され、別の印刷情報を記憶することができるようになる。
【００４７】
請求項８記載の発明によれば、請求項５ないし７のいずれか一記載の印刷方法において、退避記憶手段により大容量メモリに退避記憶された印刷情報を呼び出してその印刷情報に応じたマスタの製版及びそのマスタを用いた印刷を行うようにしたので、一旦大容量メモリに退避記憶ささせた印刷情報に応じた製版及び印刷を後から行うことができる。
【図面の簡単な説明】
【図１】本発明の一実施の形態の印刷処理システムを示す概略図である。
【図２】印刷機の制御回路構成を示すブロック図である。
【図３】印刷機での処理内容を説明するフローチャートである。
【符号の説明】
１      印刷情報作成部
５      ページメモリ
９      印刷用紙センサ
１６      大容量メモリ
Ｓ      印刷用紙
ステップＳ４のＹ、ステップＳ３  呼び出し手段
ステップＳ５    印刷可否判断手段
ステップＳ６    退避記憶手段
ステップＳ７    印刷可否判断手段
【図１】
0004711493.tif 000002
【図２】
0004711493.tif 000003
【図３】
0004711493.tif 000004